(57)【要約】【目的】  簡単な構造でしっかりと二輪車を支持することが出来、或いは前輪を捕捉することが出来るような、二輪車駐車装置の提供する。【構成】  車輪通路に臨ませて左右１対の前輪支持具を設けると共に、前輪によって押されるかまたは踏まれることによって力を加えられて前記前輪支持具の少なくとも一側を内側へ移動させる作動片を設けて成るものとした。また車輪通路に臨ませて左右１対の鈎部を設けると共に、前輪によって押されるかまたは踏まれることによって力を加えられて前記鈎部の少なくとも一側を内側へ移動させて車輪を掛止する作動片を設けて成るものとした。【選択図】      図１
2005324765.tif 000002
【特許請求の範囲】
【請求項１】
車輪通路に臨ませて左右１対の前輪支持具を設けると共に、前輪によって押されるかまたは踏まれることによって力を加えられて前記前輪支持具の少なくとも一側を内側へ移動させる作動片を設けて成る、二輪車駐車装置。
【請求項２】
前記前輪支持具の両側に前記作動片を設けた場合であって、左右１対の作動片がその一方が内側へ移動すると他方が内側へ移動するようにリンクされている、請求項１に記載の二輪車駐車装置。
【請求項３】
車輪通路に臨ませて左右１対の鈎部を設けると共に、前輪によって押されるかまたは踏まれることによって力を加えられて前記鈎部の少なくとも一側を内側へ移動させて車輪を掛止する作動片を設けて成る、二輪車駐車装置。
幅を合わせてロック出来る
【請求項４】
前記鈎部の両側に前記作動片を設けた場合であって、左右１対の作動片がその一方が内側へ移動すると他方が内側へ移動するようにリンクされている、請求項１に記載の二輪車駐車装置。
【請求項５】
前記作動片または作動片と連動する部位に、動作を固定するための施錠手段が設けられている、請求項１または請求項２に記載の二輪車駐車装置。
ソレノイドがよい
【請求項６】
前記施錠手段が、一側の凹凸部と他側の前記凹凸部に噛合する噛合部とにより構成されている、請求項５に記載の二輪車駐車装置。
なお何にでも使える
【請求項７】
前記凹凸部と噛合部との噛み合わせに際して、事前に互いを打ち付け合う動作を行なわせる位置合わせ手段をさらに設けて成る、請求項６に記載の二輪車駐車装置。
２回打ち付け、最後に本噛合
【請求項８】
前記車輪通路の前輪載置部が他の部分に対し回転し得るように構成して成る、請求項１または請求項２に記載の二輪車駐車装置。
【請求項９】
傾斜角度を調節し得るようにして前輪載置部付近に立設された支持部材の上部に、二輪車のハンドルグリップと都合よく係合し得るように形成されたハンドルグリップの捕捉具を前記支持部材に対して回動自在に設けて成る、請求項１または請求項２に記載の二輪車駐車装置。
【発明の詳細な説明】
【技術分野】
【０００１】  この発明は前輪支持具を備えた二輪車駐車装置及び車輪を掛止する鈎部を備えた二輪車駐車装置に係り、構造が簡単で所要の効果が得られるものに関する。
【背景技術】
【０００２】  従来より自転車や原動機付き自転車等の二輪車を、そのスタンドを立てることなく駐車させることが出来る駐車装置が各種提案されている。例えば実公昭６２−０２１５０６号の原動機付二輪車の駐車装置は、固定されたレール部材と、該部材に添って移動する可動部材に軸支され常時一方向への回動力を付勢されかつ前記案内レール部材と平行する状態を維持し得るように構成されていて前記可動部材の傾倒防止部材を備えた前輪捕捉部材と、後輪捕捉部材とから成るものである。【０００３】  また例えば実開平０６−０７６５５８号の自転車駐車装置の前輪キャッチャーは、軌条部材に可動部材を取り付けこの可動部材に鈎部材を回動自在に取り付けて、鈎部材の一部が鈎部材が取り付けられていない側の一部分に接触することによって鈎部材の鈎部が内方に回動し前輪を捕捉するように構成されている。
【特許文献１】実公昭６２−０２１５０６号公報
【特許文献２】実開平０６−０７６５５８号公報
【発明の開示】
【発明が解決しようとする課題】
【０００４】  しかしながら実公昭６２−０２１５０６号の原動機付二輪車の駐車装置では，車輪の太さが様々な二輪車に合わせることによってきちんと二輪車を支持することが出来るのであるが、そのように構成しようとすると装置が複雑になりコストが高くなると言う問題があった。【０００５】  また実開平０６−０７６５５８号の自転車駐車装置の前輪キャッチャーでは、鈎部材の一部が軌条部材に当たって内方へ回動する動作を続けている内に衝撃で破壊されたり、軌条部材と可動部材と鈎部材との組み付け構成に於いてガタツキが生ずるなどの問題があった。従ってこれを解消しようとすると装置が複雑になりコストが上昇すると言う課題も生じていた。【０００６】  そこでこの発明は上述したような問題を解決し、簡単な構造でしっかりと二輪車を支持することが出来、或いは前輪を捕捉することが出来るような、二輪車駐車装置の提供を課題とする。
【課題を解決するための手段】
【０００７】  上記課題は、車輪通路に臨ませて左右１対の前輪支持具を設けると共に、前輪によって押されるかまたは踏まれることによって力を加えられて前記前輪支持具の少なくとも一側を内側へ移動させる作動片を設けて成る、二輪車駐車装置とすることにより達成される。なお前記前輪支持具の両側に前記作動片を設けた場合であって、左右１対の作動片がその一方が内側へ移動すると他方が内側へ移動するようにリンクされているものとしても良い。【０００８】  前輪が進入する車輪通路に臨むようにして左右１対の前輪支持具が設けられている。この左右１対の前輪支持具は一方が固定で、他方が可動式のものであっても、両者共に可動式のものであっても良い。前記作動片は、車輪通路の至端部に二輪車の前輪の前端部が当たるように設けることも、二輪車の前輪で踏まれるように設けることも可能である。この作動片に前輪により力が加えられると、前記前輪支持具が内側へ移動するため、これによって前輪を挟着して前輪を支持し、二輪車を支持することが出来るのである。従って利用者は、二輪車の前輪を車輪通路に入れて進入させ、前輪を前記作動片の所まで移動させて作動片に接触させることにより、簡単に駐車させることが出来る。なお二輪車のスタンドはこれを立てなくても或いは立てさせるようにしてもよく、この各々の場合に対応させた設計が可能である。【０００９】  なお左右１対の前輪支持具が両者共に可動式の場合であって、左右１対の作動片がその一方が内側へ移動すると他方が内側へ移動するようにリンクされているものでは、例えば二輪車が車輪通路内を傾斜姿勢で進入して来てその前輪が片側の作動片のみを押したか踏んだような場合であっても、左右両側がリンクされていることによって、両方の作動片に同時に力を加えたのと同じように、安定して確実な動作を行なうことが出来る。【００１０】  上記課題は、車輪通路に臨ませて左右１対の鈎部を設けると共に、前輪によって押されるかまたは踏まれることによって力を加えられて前記鈎部の少なくとも一側を内側へ移動させて車輪を掛止する作動片を設けて成る、二輪車駐車装置とすることにより達成される。なお前記鈎部の両側に前記作動片を設けた場合であって、左右１対の作動片がその一方が内側へ移動すると他方が内側へ移動するようにリンクされているものとしても良い。【００１１】  前輪が進入する車輪通路に臨むようにして左右１対の鈎部が設けられている。この左右１対の鈎部は一方が固定で、他方が可動式のものであっても、両者共に可動式のものであっても良い。前記作動片は、車輪通路の至端部に二輪車の前輪の前端部が当たるように設けることも、二輪車の前輪で踏まれるように設けることも可能である。この作動片に前輪によって力が加えられると、前記鈎部が内側へ移動するため、これによって前輪の狭幅の部位に掛止して前輪を捕捉することが出来るのである。従って利用者は二輪車の前輪を車輪通路に入れて進入させ、前輪を前記作動片の所まで移動させて作動片に接触させることによって、簡単に前輪を捕捉させ駐車させることが出来る。【００１２】  なお請求項１の発明の左右１対の前輪支持具により前輪を挟着して支持させる構成をこの鈎部に実装することが可能である。すなわち車輪の太さが様々な二輪車の前輪の幅に合わせることによって、前記鈎部が前輪の狭幅の部位に掛止して外れないようにすることをより確実なものとすることが出来る。前記狭幅の部位とは例えばタイヤのリムとスポークとの境の部位のことである。この部位を鈎部で掛止するのである。なお二輪車のスタンドはこれを立てなくても或いは立てさせるようにしてもよく、この各々の場合に対応させた設計が可能である。【００１３】  さて上述のような前輪支持具を備えた二輪車駐車装置であっても、鈎部を備えた二輪車駐車装置であっても、前記作動片または作動片と連動する部位に、動作を固定するための施錠手段が設けられているものとすることが出来る。【００１４】  前記作動片または作動片と連動する部位が固定されれば、前輪支持具や鈎部が固定されることになる。前輪支持具が固定されれば、二輪車は倒れにくく、また取り出しにくくなる。鈎部が固定されれば、二輪車を出庫させることが出来なくなる。なお施錠手段は機械式手動式のものであっても、ソレノイドなどを用いて電気的に施錠・開錠が行なえるものであってもよいが、管理者が遠隔でこの操作を行なう場合には電気式のものの方が都合が良い。【００１５】  なおこの場合、前記施錠手段が、一側の凹凸部と他側の前記凹凸部に噛合する噛合部とにより構成されているものとすることが出来る。一側の凹凸部と他側の凹凸部、一側の凹凸部と他側の凸部または凹部、などと言った組み合わせが任意に行ない得る。この一側の凹凸部と他側の噛合部とを噛み合わせることにより、前記前輪支持具や前記鈎部は外側へ移動することが出来なくなり、前輪を捕捉したままとなる。凹凸部と噛合部との噛み合わせは確実なものである。【００１６】  またこの場合、前記凹凸部と噛合部との噛み合わせに際し、事前に互いを打ち付け合う動作を行なわせる位置合わせ手段をさらに設けて成るものとすることが出来る。前記の凹凸部と噛合部とを噛み合わせた際に、例えば互いの凸部同士が打ち合って反発し、噛み合いにくい或いは噛み合わないと言うことが起こる場合がある。そこで事前に凹凸部と噛合部とを打ち合わせることにより、例えば前記ソレノイドの場合では作動杆等に遊びがあるため、互いの凸部同士が打ち合いを避ける方向に微妙にずれるようになる。従って本番である前記凹凸部と噛合部との噛み合わせの際には、互いの凹凸がよく合ってしっかりと噛合するようになるのである。事前の打ち合わせの回数は任意であるが、例えば打ち合わせを２回、本噛合を１回と設定するのが良いであろう。【００１７】  さて上述のような前輪支持具を備えた二輪車駐車装置であっても、鈎部を備えた二輪車駐車装置であっても、前記車輪通路の前輪載置部が他の部分に対し回転し得るようにして成るものとすることが出来る。原動機付き自転車や比較的小型の自動二輪車等では、駐車時に前輪を左方向に切ってロックするような仕組みが備わっている。従ってこのような場合に前輪載置部が回転出来ると、二輪車側ので施錠を行なうことが出来て都合が良い。【００１８】  また上述のような前輪支持具を備えた二輪車駐車装置であっても、鈎部を備えた二輪車駐車装置であっても、傾斜角度を調節し得るようにして前輪載置部付近に立設された支持部材の上部に、二輪車のハンドルグリップと都合よく係合し得るように形成されたハンドルグリップの捕捉具を前記支持部材に対して回動自在に設けて成るものとすることが出来る。その使用法は、ハンドルグリップの捕捉具を左手で持ち、右手で二輪車を支えつつ、二輪車の左側のハンドルの先端部のハンドルグリップを前記捕捉具に係止させて、二輪車を支持部材に持たせ掛けて駐車させるようにする。より詳しくは、捕捉具とハンドルグリップとの位置合わせを行なうべく捕捉具を操って支持部材の傾斜角度を調節したり、捕捉具の回動調節を行なったりする。これにより不自然でない状態でハンドルグリップを捕捉して、二輪車のスタンドを立てることなく保持することが出来るのである。
【発明の効果】
【００１９】  上述したようにこの発明によれば、簡単な構造でしっかりと二輪車を支持することが出来、或いは前輪を捕捉することが出来ると言う効果を奏する。
【発明を実施するための最良の形態】
【００２０】  第１実施形態
図１乃至図５を用いてこの実施形態の前輪支持具および車輪を掛止する鈎部を備えた自転車用の駐車装置の説明を行なう。この駐車装置は図示しない車輪通路の至端に設けられている。左右の支持板１，１は車輪通路に臨んで設けられている。支持板１にはスライド板２を案内するためのガイド孔１０が斜めに設けられており、スライド板２はこのガイド孔１０にピン２１を以てスライド自在に取り付けられている。ガイド孔１０は車輪通路に近付くに連れて下がるように傾斜させられている。スライド板２の上部は車輪通路の方向に突出して鈎部２０とされている。更に図２から明かとなるように、スライド板２の車輪通路側の下部には腕部２２が設けられており、ここには後述するリンク杆３のガイド孔３０に填め合わせたピン２３が取り付けられている。前記リンク杆３はＬ字形状を呈しており、その角部が支持板１の下部から車輪通路の方向に延びる腕部１１の先部分に取り付けたピン１２により回動自在に止められている。このような構成が左右の支持板１，１に付いて実現されている。【００２１】  なお前記支持板１とスライド板２とをリンクするリンク杆３の役割は自転車の前輪を受ける踏み込みレバーであるが、左右のリンク杆３，３は別のリンク杆４によって連結されている。すなわちリンク杆４にはガイド孔４０が開孔されており、ここの左右のリンク杆３のＬ字の短片のさきに設けたピン３１を通して止めている。そしてこのリンク杆４の上方に踏板５が設けられており、この踏板５を自転車の前輪が踏み込むように構成されている。【００２２】  さてこの実施形態の駐車装置では、自転車が駐車されていない状態では、すなわち踏板５に荷重が掛かっていない状態では図２に示すようになっている。そこで図示しない車輪通路を進んで来た自転車の前輪が踏板５を踏み込むと、図１で示すように踏板５が下降して左右のリンク杆３を押し下げる。なお前輪が踏板５の片側を踏んで片側のリンク杆３に荷重が掛かろうとも、左右のリンク杆３にはこれを連結しているリンク杆４が取り付けられているため、左右のリンク杆３が同時に押し下げられるのである。するとリンク杆３が内方へ回動してピン２３を内方へ引くため、左右のスライド板２が車輪通路側へスライドする。この時左右のスライド板２，２は前記支持板１のガイド孔１０にガイドされて下降する方向への力が加わる。これによってスライド板２の鈎部２０が車輪通路側へスライドすると共に下降して、都合良く前輪のリムのスポークネジの近傍に位置するようになる。従って鈎部２０により前輪が掛止されるため、自転車を出庫させることが出来なくなるのである。【００２３】  なお出庫の手続きによって前輪の荷重が踏板５に掛からなくなると、図示しないバネによって付勢されたリンク杆３が自動的に回動して踏板５を押し上げると共に、スライド板２を元の位置に戻して、次の駐車に備えるのである。【００２４】  ところで前記スライド板２には、図３乃至図５で表わしたような錠が設けられている。すなわちスライド板２の側面部には凹凸部２４が設けられており、この凹凸部２４に対向させて後述する傾倒板６の側面部にも凹凸部６０が設けられている。傾倒板６は凹凸部６０の側がスライド板２方向に傾倒可能に回動軸６２���取り付けられている。そして常には垂直に立ち上がっているように、回動軸６２に設けた図示しないバネによって付勢されている。また傾倒板６の他側で、前記車輪通路側に近い部位には突起６１が設けられている。また傾倒板６のこの側にはスライド板７１が添設されている。その車輪通路側に近い部位には押圧部７２のカーブが形成されており、この押圧部７２で前記突起６１を滑らかに押し退けることが出来るようになっている。そしてこのスライド板７１にはリンク杆７０を介してソレノイド７が接続されている。【００２５】  さて上述のように自転車が駐車されていない状態では、左右のスライド板２，２は車輪通路から後退しており、図３で表わすような体勢を取っている。このような状態から自転車を駐車させると、スライド板２が車輪通路側へスライドする（図４）。ここで施錠することが出来ればより安全である。そこでソレノイド７に通電するとリンク杆７０が引かれ、スライド板７１が車輪通路側へスライドすると、スライド板７１の押圧部７２が前記突起６１を押し退け、この結果傾倒板６が回動軸６２を以てスライド板２の方向に傾倒することになる。すると傾倒板６の凹凸部６０がスライド板２の側の凹凸部２４ら噛合してスライド板２は後退することが出来なくなるのである。この状態はロックされた状態であって、次にソレノイド７に通電してリンク杆７０を押し出すまでは自転車の前輪は施錠されたままとなり、出庫させることが出来ない。【００２６】  なおソレノイド７の動作に付いてさらに詳しく説明する。図５（ａ）のように凹凸部２４と凹凸部６０との凸部同士が同じ位置にあると、ソレノイド７に１回通電した時に互いの凸部同士が打ち合って反発して、噛み合いにくい或いは噛み合わないと言うことが起こる場合がある。そこでこの実施形態では図５（ａ）の状態で２回、凹凸部２４と凹凸部６０とを打ち合わせるように設定されている。これにより互いの凸部同士が打ち合いを避ける方向に微妙にずれて図５（ｂ）の状態となるため、最終的に１回ソレノイド７に通電して凹凸部２４と凹凸部６０とを噛合させるようにしている。【００２７】  第２実施形態
次に図６を用いてこの実施形態の原動機付き自転車用の駐車装置を説明する。この駐車装置は案内レール８４にガイドされて奥方へ押したり手前側に引いたりすることが出来る前輪載置台８であり、手前側にある時に前輪を載置して、前輪載置台８の車輪８３と原動機付き自転車の後輪とで奥方へ押して移動させ、その至端に於いて駐車完了とするものである。前輪載置台８は左側に設けた図示しない車輪をチャンネル状の案内レール８４に填め込んで組み付けられている。この前輪載置台８の手前側にはスロープ８２が設けられている。また前輪載置台８の中央部には回転板８０が設けられている。さらに前輪載置台８の左側には後述するグリップ捕捉部９が立設されている。【００２８】  前記回転板８０には第１実施形態で説明した鈎部２０を有するスライド板２の機構が設けられている。またその中央部に切欠部８１が切欠されており、この中に第１実施形態で説明した踏板５が置かれている。すなわち踏板５からスライド板２までの構成上述した第１実施形態の構成に倣うものである。なおスライド板２や支持板１は、切欠部８１に臨ませて設けた鈎収納ボックス２５の中に納めるようにした。【００２９】  前記グリップ捕捉部９に付いて、前記前輪載置台８に固定した軸受９５にＬ字状に折り曲げた回動軸９４が回動自在に取り付けられており、この回動軸９４の垂直部分に支持杆９３が上下動自在に取り付けられている。支持杆９３の頂部にはハンドル９０が回動自在に取り付けられており、このハンドル９０の一側には操作グリップ９１が、他側には捕捉具９２が設けられている。【００３０】  この駐車装置に原動機付き自転車を駐車させるには、先ず前輪をスロープ８２に押し上げて前輪載置台８上に進入させ、更に回転板８０まで進ませて、前輪を落とし込みの孔である切欠部８１に落とし込むようにする。これによって上述したように前輪はスライド板２に捕捉される。次いで原動機付き自転車のハンドルを左方に切ると回転板８０が回転するので、ここで操作グリップ９１を持って、支持杆９３を回動軸９４の縦方向に摺動させたり回動させたり捕捉具９２を回動させて捕捉具９２の位置及び姿勢を調節しつつ、原動機付き自転車の左側にあるハンドルグリップを前記捕捉具９２に挿入して、原動機付き自転車を支持杆９３に持たせ掛けるようにする。これによって不自然でない状態でハンドルグリップを捕捉して、原動機付き自転車をスタンドを立てることなく保持することが出来る。こで必要に応じて原動機付き自転車の前輪に設けられている錠を掛け、その後原動機付き自転車のサドルなどの部分を押すようにすることにより、前輪載置台８が案内レール８４に添って奥方へ移動して駐車完了となる。【００３１】  なお原動機付き自転車の前輪に設けられている錠を掛ける際に、前輪を左方に曲げなくてはならないものがある。このような場合に対応することが可能なように回転板８０の機構が組み込まれている。この錠を用いない場合や、用いた場合であっても別途施錠したい場合、或いはこの駐車装置を商店街などで顧客専用に用いたいとする場合などでは、上述した第１実施形態のソレノイド７回りの構成などを組み込むようにすればよい。
【産業上の利用可能性】
【００３２】  なお上述した図５（ａ）（ｂ）の位置合わせ手段を用いたものは、この発明の駐車装置以外にも活用可能である。噛み合わせなくてはならないもの同士がうまく噛み合わないような場合に、事前に互いを打ち付け合う動作を行なわせる位置合わせ手段は、後の本動作を１回でより確実なものにしてくれる効果には大きいものがある。
【図面の簡単な説明】
【００３３】
【図１】  第１実施形態の正面図である。
【図２】  同実施形態の正面図である。
【図３】  同実施形態の動作説明図である。
【図４】  同実施形態の動作説明図である。
【図５】  同実施形態の動作説明図である。
【図６】  第２実施形態の斜視図である。
【符号の説明】
【００３４】１    支持板
１０  ガイド孔
１１  腕部
１２  ピン
２    スライド板
２０  鈎部
２１  ピン
２２  腕部
２３  ピン
２４  凹凸部
２５  鈎収納ボックス
３    リンク杆
３０  ガイド孔
３１  ピン
４    リンク杆
４０  ガイド孔
５    踏板
６    傾倒板
６０  凹凸部
６１  突起
６２  回動軸
７    ソレノイド
７０  リンク杆
７１  スライド板
７２  押圧部
８    前輪載置台
８０  回転板
８１  切欠部
８２  スロープ
８３  車輪
８４  案内レール
９    グリップ捕捉部
９０  ハンドル
９１  操作グリップ
９２  捕捉具
９３  支持杆
９４  回動軸
９５  軸受
【図１】
2005324765.tif 000003
【図２】
2005324765.tif 000004
【図３】
2005324765.tif 000005
【図４】
2005324765.tif 000006
【図５】
2005324765.tif 000007
【図６】
2005324765.tif 000008
【手続補正書】
【提出日】平成16年5月18日(2004.5.18)
【手続補正１】
【補正対象書類名】特許請求の範囲
【補正対象項目名】全文
【補正方法】変更
【補正の内容】
【特許請求の範囲】
【請求項１】
車輪通路に臨ませて左右１対の前輪支持具を設けると共に、前輪によって押されるかまたは踏まれることによって力を加えられて前記前輪支持具の少なくとも一側を内側へ移動させる作動片を設けて成る、二輪車駐車装置。
【請求項２】
前記前輪支持具の両側に前記作動片を設けた場合であって、左右１対の作動片がその一方が内側へ移動すると他方が内側へ移動するようにリンクされている、請求項１に記載の二輪車駐車装置。
【請求項３】
車輪通路に臨ませて左右１対の鈎部を設けると共に、前輪によって押されるかまたは踏まれることによって力を加えられて前記鈎部の少なくとも一側を内側へ移動させて車輪を掛止する作動片を設けて成る、二輪車駐車装置。
【請求項４】
前記鈎部の両側に前記作動片を設けた場合であって、左右１対の作動片がその一方が内側へ移動すると他方が内側へ移動するようにリンクされている、請求項３に記載の二輪車駐車装置。
【請求項５】
前記作動片または作動片と連動する部位に、動作を固定するための施錠手段が設けられている、請求項１または請求項３に記載の二輪車駐車装置。
【請求項６】
前記施錠手段が、一側の凹凸部と他側の前記凹凸部に噛合する噛合部とにより構成されている、請求項５に記載の二輪車駐車装置。
【請求項７】
前記凹凸部と噛合部との噛み合わせに際して、事前に互いを打ち付け合う動作を行なわせる位置合わせ手段をさらに設けて成る、請求項６に記載の二輪車駐車装置。
【請求項８】
前記車輪通路の前輪載置部が他の部分に対し回転し得るように構成して成る、請求項１または請求項３に記載の二輪車駐車装置。
【請求項９】
傾斜角度を調節し得るようにして前輪載置部付近に立設された支持部材の上部に、二輪車のハンドルグリップと都合よく係合し得るように形成されたハンドルグリップの捕捉具を前記支持部材に対して回動自在に設けて成る、請求項１または請求項３に記載の二輪車駐車装置。